【手続補正書】
【提出日】平成28年4月15日(2016.4.15)
【手続補正１】
【補正対象書類名】明細書
【補正対象項目名】０００９
【補正方法】変更
【補正の内容】
【０００９】
この発明は、車両用昇降装置におけるプラットホームの左右側方を支える手すりにおいて、手すりを、その基端の軸支部を中心に夫々内側に９０度転回し、互いに向き合う手すりの重合部をベルベットファスナーにより簡易・迅速・堅牢に固縛する折畳み手すりの固縛装置の提供にある。
【手続補正２】
【補正対象書類名】明細書
【補正対象項目名】００１０
【補正方法】変更
【補正の内容】
【００１０】
車両の開口部に臨む床面上に配備される車両用昇降装置にセットされたプラットホームの上方両側に配備される左右手すりは、夫々の基端がプラットホームを昇降する左右ゲートフレームの上部に設けた左右ブラケットの縦軸に軸支され、プラットホームの上方両側方に平行に展開する展開使用時と、内側に折畳まれて両者の先端側が重合する折畳み格納時になるように設けられると共に左右手すりの重合部となる一方の手すりには先端側が巻付固縛部に設けられる一方の巻付固縛バンドが配備され、他方の手すりには前記一方の巻付固縛バンドの巻付固縛部に係合固着する被巻付固縛バンド固着部を周面に具備する被巻付固縛バンドが配備されてなる車両用昇降装置における折畳み手すりの固縛装置にある。
【手続補正３】
【補正対象書類名】明細書
【補正対象項目名】００１１
【補正方法】変更
【補正の内容】
【００１１】
左右手すりの前記一方の手すりの一方の巻付固縛バンドは、内面がフック面に形成されたベルベットファスナーシート材の外面に、一面がループ面に形成されたベルベットファスナーシート材を係着可能に配備してなる一方の巻付固縛バンド部材から構成されてなるものとしてもよいものである。
【手続補正４】
【補正対象書類名】明細書
【補正対象項目名】００１２
【補正方法】変更
【補正の内容】
【００１２】
前記一方の巻付固縛バンド部材は、基端縁寄り左右の横断方向に左基端側取付孔、右基端側取付孔及びそれらの間に中央基端側取付孔が開孔され、左右手すりの一方の手すりのパイプに、リベットを前記中央基端側取付孔及び左右手すりの一方の手すりのパイプの中央取付孔に挿通し、リベットの両端を拡開して仮固着され、前記一方の巻付固縛バンド部材は左右手すりの一方の手すりのパイプに一方の巻付固縛バンド部材の基部より周回し、外面をテスリバンド押さえで押圧保持した後、夫々のリベットの先端をテスリバンド押さえの左側取付孔と右側取付孔に夫々挿通し、一方の巻付固縛バンド部材の先端との中間に左右に開孔された左先端側取付孔と右先端側取付孔、前記左基端側取付孔と右基端側取付孔及び左右手すりの一方の手すりのパイプの左側取付孔と右側取付孔に夫々貫通し、リベット夫々の先端を拡径して左右手すりの一方の手すりのパイプの内径面に押し当て、リベットの反対端を同じく拡径してテスリバンド押さえの外面に押し当て前記一方の巻付固縛バンド部材の左側と右側が左右手すりの一方の手すりのパイプに固着され、一方の巻付固縛バンド部材の先端側を巻付固縛部に設けてなるものとしてもよいものである。
【手続補正５】
【補正対象書類名】明細書
【補正対象項目名】００１４
【補正方法】変更
【補正の内容】
【００１４】
前記他方の被巻付固縛バンド部材は、先端縁寄りに少なくとも左右の横断方向に左先端側取付孔、右先端側取付孔及びそれらの間に中央先端側取付孔が開孔され、前記左右手すりの他方の手すりのパイプに、中央取付孔に挿通するリベットにより他方の被巻付固縛バンド部材の先端縁が仮固着され、前記左右手すりの他方の手すりのパイプに他方の被巻付固縛バンド部材が先端縁からの全面を周回し、基端縁を先端縁に外方から重合させ、その重合部の外面にテスリバンド押さえで押圧支持した後、夫々のリベットの先端をテスリバンド押さえの左側取付孔と右側取付孔に夫々挿通し、他方の被巻付固縛バンド部材の左先端側取付孔と右先端側取付孔、左基端側取付孔と右基端側取付孔に夫々挿通し、そして他方の被巻付固縛バンド部材の手すりのパイプの左側取付孔と右側取付孔に夫々貫通し、リベットの先端を拡径して右手すりのパイプの内径面に押し当て、リベットの反対端を拡径してテスリバンド押さえの外面に押し当て、他方の被巻付固縛バンド部材を左右手すりの他方の手すりのパイプに固着してなるものとしてもよいものである。
【手続補正６】
【補正対象書類名】明細書
【補正対象項目名】００１５
【補正方法】変更
【補正の内容】
【００１５】
前記左手すりの左上段先端重合部に配備された一方の巻付固縛バンドの先端側に左上段ゴム製帯環が、左下段先端重合部の先端側対向位置に左下段ゴム製帯環が夫々嵌合配備され、前記右手すりの折畳み時の右上段先端重合部に配備された他方の被巻付固縛バンドの先端側に右上段ゴム製帯環が、右下段先端重合部の先端側対向位置に右下段ゴム製帯環が夫々嵌合配備されてなるものとしてもよいものである。
【手続補正７】
【補正対象書類名】明細書
【補正対象項目名】００２０
【補正方法】変更
【補正の内容】
【００２０】
車両の開口部に臨む床面上に配備される車両用昇降装置にセットされたプラットホームの上方両側に配備される左右手すりは、夫々の基端がプラットホームを昇降する左右ゲートフレームの上部に設けた左右ブラケットの縦軸に軸支され、プラットホームの上方両側方に平行に展開する展開使用時と内側に折畳まれて両者の先端側が重合する折畳み格納時になるように設けられると共に左右手すりの重合部となる一方の手すりには先端側が巻付固縛部に設けられる一方の巻付固縛バンドが配備され、他方の手すりには前記一方の巻付固縛バンドの巻付固縛部と係合固着する被巻付固縛バンド固着部が周面に具備する他方の被巻付固縛バンドが配備されてなる車両用昇降装置における折畳み手すりの固縛装置において、前記左右手すりの一方の手すりの一方の巻付固縛バンドは、内面がフック面に形成されたベルベットファスナーシート材の外面に、一面がループ面に形成されたベルベットファスナーシート材を係着可能に配備してなる一方の巻付固縛バンド部材から構成され、前記一方の巻付固縛バンド部材は、基端縁寄り左右に左基端側取付孔、右基端側取付孔が、その間に中央基端側取付孔が夫々開孔され、左右手すりの一方の手すりのパイプに、リベットを前記中央基端側取付孔及び左右手すりの一方の手すりのパイプの中央取付孔に挿通し、リベットの両端を拡開して仮固着され、前記一方の巻付固縛バンド部材は左右手すりの一方の手すりのパイプに一方の巻付固縛バンド部材の基部より周回し、外面をテスリバンド押さえで押圧保持した後、夫々のリベットの先端をテスリバンド押さえの左側取付孔と右側取付孔に夫々挿通し、一方の巻付固縛バンド部材の先端との中間に左右に開孔された左先端側取付孔と右先端側取付孔、前記左基端側取付孔と右基端側取付孔及び左右手すりの一方の手すりのパイプの左側取付孔と右側取付孔に夫々貫通し、リベット夫々の先端を拡径して左右手すりの一方の手すりのパイプの内径面に押し当て、リベットの反対端を同じく拡径してテスリバンド押さえの外面に押し当て前記一方の巻付固縛バンド部材の左側と右側が左右手すりの一方の手すりのパイプに固着され、一方の巻付固縛バンド部材の先端側を所要長さフリーの巻付固縛部に設けられ、前記左右手すりの他方の手すりの他方の被巻付固縛バンドは、外面がループ面に形成されたベルベットファスナーシート材の他方の被巻付固縛バンド部材から構成され、前記他方の被巻付固縛バンド部材は、先端縁寄りに少なくとも左右の横断方向に左先端側取付孔、右先端側取付孔及びそれらの間に中央先端側取付孔が開孔され、前記左右手すりの他方の手すりのパイプに、中央取付孔に挿通するリベットにより他方の被巻付固縛バンド部材の先端縁が仮固着され、前記左右手すりの他方の手すりのパイプに他方の被巻付固縛バンド部材が先端縁からの全面を周回し、基端縁を先端縁に外方から重合させ、その重合部の外面にテスリバンド押さえで押圧支持した後、夫々のリベットの先端をテスリバンド押さえの左側取付孔と右側取付孔に夫々挿通し、他方の被巻付固縛バンド部材の左先端側取付孔と右先端側取付孔、左基端側取付孔と右基端側取付孔に夫々挿通し、そして他方の被巻付固縛バンド部材の手すりのパイプの左側取付孔と右側取付孔に夫々貫通し、リベットの先端を拡径して右手すりのパイプの内径面に押し当て、リベットの反対端を拡径してテスリバンド押さえの外面に押し当て、他方の被巻付固縛バンド部材を左右手すりの他方の手すりのパイプに固着して設けられてなる車両用昇降装置における折畳み手すりの固縛装置。
【手続補正８】
【補正対象書類名】明細書
【補正対象項目名】００２２
【補正方法】変更
【補正の内容】
【００２２】
図面の図１は、プラットホーム７を起立し、パイプをＵ字形に湾曲形成した左手すり８ａの左上段パイプ８ａ１の左上段基端部８ａ１１と左下段パイプ８ａ２の左下段基端部８ａ２１を後述の左縦支軸９ａと、パイプをＵ字形に湾曲形成した右手すり８ｂの右上段パイプ８ｂ１の右上段基端部８ｂ１１と右下段パイプ８ｂ２の右下段基端部８ｂ２１を後述の右縦支軸９ｂを中心に９０度転回し、対向部分を重合した折畳み状態の実施例を示すものである。
【手続補正９】
【補正対象書類名】明細書
【補正対象項目名】００２３
【補正方法】変更
【補正の内容】
【００２３】
図面の図２は、前記図１の左手すり８ａを、その支軸９ａを中心に反対の外側に９０度転回して使用状態にセットした状態を示すものである。
【手続補正１０】
【補正対象書類名】明細書
【補正対象項目名】００３１
【補正方法】変更
【補正の内容】
【００３１】
前記一方の巻付固縛バンド部材１４ａ１は、始めに、図８及び図９に示すように、基端縁１４ａ１１寄り左右の横断方法に左基端側取付孔２０ａ、右基端側取付孔２０ｂ及びそれらの間に中央基端側取付孔２０ｃが開孔され、左手すり８ａの上段パイプ８ａ１の左上段先端重合部８ａ１２に、例えば、図１１に示すように、リベット２１を中央基端側取付孔２０ｃ及び左手すり８ａの上段パイプ８ａ１の中央取付孔２２ｃに挿通し、リベット２１の両端を拡開して仮固着される。次に、前記一方の巻付固縛バンド部材１４ａ１の左側は、図１２に示すように、左手すり８ａの上段パイプ８ａ１に一方の巻付固縛バンド部材１４ａ１の基端縁１４ａ１１から周回し、外面をテスリバンド押さえ２３で押さえた後、リベット２４の先端をテスリバンド押さえ２３の左側取付孔２５ａに挿通し、一方の巻付固縛バンド部材１４ａ１の左先端側取付孔２６ａ、前記左基端側取付孔２０ａ及び左手すり８ａの上段パイプ８ａ１の左側取付孔２２ａに貫通し、リベット２４の先端を拡径して左手すり８ａの上段パイプ８ａ１の内径面に押し当て、リベット２４の反対端を同じく拡径してテスリバンド押さえ２３の外面に押し当て前記一方の巻付固縛バンド部材１４ａ１の左側が左手すり８ａの上段パイプ８ａ１に固着される。
【手続補正１１】
【補正対象書類名】明細書
【補正対象項目名】００３６
【補正方法】変更
【補正の内容】
【００３６】
前記左手すり８ａの左上段先端重合部８ａ１２に配備された一方の巻付固縛バンド１４ａの先端側に左上段ゴム製帯環３５ａ１１が、左下段先端重合部８ａ２２の先端側対向位置に左下段ゴム製帯環３５ａ１２が夫々嵌合配備される。
【手続補正１２】
【補正対象書類名】明細書
【補正対象項目名】００３７
【補正方法】変更
【補正の内容】
【００３７】
前記右手すり８ｂの折畳み時の右上段先端重合部８ｂ１２に配備された他方の被巻付固縛バンド１４ｂの先端側に右上段ゴム製帯環３５ｂ１１が、右下段先端重合部８ｂ２２の先端側対向位置に右下段ゴム製帯環３５ｂ１２が夫々嵌合配備される。
【手続補正１３】
【補正対象書類名】明細書
【補正対象項目名】００４３
【補正方法】変更
【補正の内容】
【００４３】
次に、左右手すり８ａ、８ｂの格納時における固縛において、前記左手すり８ａの左上段先端重合部８ａ１２に配備された一方の巻付固縛バンド１４ａの先端側に左上段ゴム製帯環３５ａ１１が、左下段先端重合部８ａ２２の先端側対向位置に左下段ゴム製帯環３５ａ１２が夫々嵌合配備され、前記右手すり８ｂの折畳み時の右上段先端重合部８ｂ１２に配備された他方の被巻付固縛バンド１４ｂの先端側に右上段ゴム製帯環３５ｂ１１が、右下段先端重合部８ｂ２２の先端側対向位置に右下段ゴム製帯環３５ｂ１２が夫々嵌合配備されるから、左手すり８ａの一方の巻付固縛バンド１４ａの巻付固縛部１４ａ３のフック面１５を対向する右手すり８ｂの他方の被巻付固縛バンド固着部１４ｂ２のループ面２７に係着することにより間に左上段ゴム製帯環３５ａ１１、左下段ゴム製帯環３５ａ１２、右上段ゴム製帯環３５ｂ１１、右下段ゴム製帯環３５ｂ１２が介在させられ、左右手すり８ａ、８ｂを衝突させて傷をつけることがなく、また、それらを介在させて引き寄せるものであるから、緊締縛をすることができ、左右手すり８ａ、８ｂの振動を防止することができる。
【手続補正１４】
【補正対象書類名】特許請求の範囲
【補正対象項目名】全文
【補正方法】変更
【補正の内容】
【特許請求の範囲】
【請求項１】
車両の開口部に臨む床面上に配備される車両用昇降装置にセットされたプラットホームの上方両側に配備される左右手すりは、夫々の基端がプラットホームを昇降する左右ゲートフレームの上部に設けた左右ブラケットの縦軸に軸支され、プラットホームの上方両側方に平行に展開する展開使用時と内側に折畳まれて両者の先端側が重合する折畳み格納時になるように設けられると共に左右手すりの重合部となる一方の手すりには先端側が巻付固縛部に設けられる巻付固縛バンドが配備され、他方の手すりには前記一方の巻付固縛バンドの巻付固縛部に係合固着する被巻付固縛バンド固着部を周面に具備する被巻付固縛バンドが配備さてなる車両用昇降装置における折畳み手すりの固縛装置。
【請求項２】
左右手すりの前記一方の巻付固縛バンドは、内面がフック面に形成されたベルベットファスナーシート材の外面に、一面がループ面に形成されたベルベットファスナーシート材を係着可能に配備してなる一方の巻付固縛バンド部材から構成されてなる請求項１の車両用昇降装置における折畳み手すりの固縛装置。
【請求項３】
前記一方の巻付固縛バンド部材は、基端縁寄り左右の横断方向に左基端側取付孔、右基端側取付孔及びそれらの間に中央基端側取付孔が開孔され、左右手すりの一方の手すりのパイプに、リベットを前記中央基端側取付孔及び左右手すりの一方の手すりのパイプの中央取付孔に挿通し、リベットの両端を拡開して仮固着され、前記一方の巻付固縛バンド部材は左右手すりの一方の手すりのパイプに一方の巻付固縛バンド部材の基部より周回し、外面をテスリバンド押さえで押圧保持した後、夫々のリベットの先端をテスリバンド押さえの左側取付孔と右側取付孔に夫々挿通し、一方の巻付固縛バンド部材の先端との中間に左右に開孔された左先端側取付孔と右先端側取付孔、前記左基端側取付孔と右基端側取付孔及び左右手すりの一方の手すりのパイプの左側取付孔と右側取付孔に夫々貫通し、リベット夫々の先端を拡径して左右手すりの一方の手すりのパイプの内径面に押し当て、リベットの反対端を同じく拡径してテスリバンド押さえの外面に押し当て前記一方の巻付固縛バンド部材の左側と右側が左右手すりの一方の手すりのパイプに固着され、一方の巻付固縛バンド部材の先端側を巻付固縛部に設けてなる請求項２の車両用昇降装置における折畳み手すりの固縛装置。
【請求項４】
前記左右手すりの他方の手すりの他方の被巻付固縛バンドは、外面がループ面に形成されたベルベットファスナーシート材の他方の被巻付固縛バンド部材から構成されてなる請求項１の車両用昇降装置における折畳み手すりの固縛装置。
【請求項５】
前記他方の被巻付固縛バンド部材は、先端縁寄りに少なくとも左右の横断方向に左先端側取付孔、右先端側取付孔及びその間に中央先端側取付孔が開孔され、前記左右手すりの他方の手すりのパイプに、中央取付孔に挿通するリベットにより他方の被巻付固縛バンド部材の先端縁が仮固着され、前記左右手すりの他方の手すりのパイプに他方の被巻付固縛バンド部材が先端縁からの全面を周回し、基端縁を先端縁に外方から重合させ、その重合部の外面にテスリバンド押さえで押圧支持した後、夫々のリベットの先端をテスリバンド押さえの左側取付孔と右側取付孔に夫々挿通し、他方の被巻付固縛バンド部材の左先端側取付孔と右先端側取付孔、左基端側取付孔と右基端側取付孔に夫々挿通し、そして他方の被巻付固縛バンド部材の手すりのパイプの左側取付孔と右側取付孔に夫々貫通し、リベットの先端を拡径して右手すりのパイプの内径面に押し当て、リベットの反対端を拡径してテスリバンド押さえの外面に押し当て、他方の被巻付固縛バンド部材を左右手すりの他方の手すりのパイプに固着してなる請求項４の車両用昇降装置における折畳み手すりの固縛装置。
【請求項６】
前記左手すりの折畳み時の左上段先端重合部に配備された一方の巻付固縛バンドの先端側に左上段ゴム製帯環が、左下段先端重合部の先端側対向位置に左下段ゴム製帯環が夫々嵌合配備され、前記右手すりの折畳み時の右上段先端重合部に配備された他方の被巻付固縛バンドの先端側に右上段ゴム製帯環が、右下段先端重合部の先端側対向位置に右下段ゴム製帯環が夫々嵌合配備されてなる請求項４の車両用昇降装置における折畳み手すりの固縛装置。
【請求項７】
前記右ブラケットの右上段支板部と右下段枠形支板部を上下端に接続する縦支板の上部左側縁には左側に腕支板が延設され、該腕支板の前面にストッパーが固着配備される請求項１乃至６のいずれか１の車両用昇降装置における折畳み手すりの固縛装置。
【手続補正１５】
【補正対象書類名】図面
【補正対象項目名】図１３
【補正方法】変更
【補正の内容】
【図１３】
2015008749.tif 000001